(57)【特許請求の範囲】
【請求項１】
所定の間隔を隔てて平行に形成される一対のシールドトンネル間に、両者間を連通する連結部を設けたシールドトンネルの合流，分岐構造において、
前記シールドトンネルの各断面は、前記連結部から離間するに従って漸次厚みが大きくなるように形成することを特徴とするトンネルの合流，分岐構造。
【請求項２】
請求項１記載のシールドトンネルの合流，分岐構造に、前記一対のシールドトンネルと前記連結部との間に周回するように配置され、緊張力を導入して定着されるＰＣ鋼線を配置すること、前記一対のシールドトンネル間を水平方向に連結するタイロッドを平行に設けること、前記連結部から、外方に向けて突出する複数のグランドアンカーを平行に設置すること、のいずれかを組合わせることを特徴とするトンネルの合流，分岐構造。
【発明の詳細な説明】
【技術分野】
【０００１】
この発明は、トンネルの合流，分岐構造に関し、特に、中柱を設けることなく、トンネルの合流，分岐構造を安定化させる技術に関するものである。
【背景技術】
【０００２】
従来、シールド工法で構築されるトンネルは、構造的に安定した円形断面のトンネルが主流であった。ところが、近時、地下空間利用の多様化，地下構造物の輻輳化，コストダウンへの取組みといった観点から、円形断面を横方向に、２連もしくは３連状に重合させた断面形状のトンネルが構築されている。
【０００３】
このような断面形状のトンネルは、例えば、２連状の場合には、一対の円形断面のシールドトンネルの端部同士が、部分的に重なるようにして、横方向に連結形成し、これらの重合した部分を除去して、概略目がね断面状のセグメントを設置していた。
【０００４】
このような形状のトンネルにおいては、トンネルを構造的に安定化させるために、中柱をセグメントの１リング毎に配置していた。ところが、このようなトンネル構造では、道路トンネルの合流，分岐部や、地下鉄の渡り線部分に採用する際には、中柱によりシールドトンネル間で車両や地下鉄の車線変更ができないという問題があった。
【０００５】
そこで、特許文献１には、このような問題を解決するために、トンネルの合流，分岐部の直上に地中ビームを設け、地中ビームとトンネルの合流，分岐部との間に地中アンカーを設けて、トンネル構造の安定化を図り、中柱を無くすことが提案されている。
【０００６】
しかしながら、特許文献１に提案されているトンネルの合流，分岐構造には、以下に説明する技術的な課題があった。
【特許文献１】特開２００３−１３８８９８号公報
【発明の開示】
【発明が解決しようとする課題】
【０００７】
すなわち、特許文献１に提案されている構造では、トンネルの合流，分岐部の直上に地中ビームを設け、地中ビームとトンネルの合流，分岐部との間に地中アンカーを設けるので、地中ビームを構築する際には、地上側からの工事が必要になり、地中ビームの構築が可能な個所でなければ合流，分岐部を設けることができず、分岐，合流部の設置場所に制約があった。
【０００８】
本発明は、このような従来の問題点に鑑みてなされたものであって、その目的とするところは、設置場所に制約を受けることなく設けることが可能なトンネルの合流，分岐構造を提供することにある。
【課題を解決するための手段】
【０００９】
上記目的を達成するために、本発明は、所定の間隔を隔てて平行に形成される一対のシールドトンネル間に、両者間を連通する連結部を設けたシールドトンネルの合流，分岐構造において、前記シールドトンネルの各断面は、前記連結部から離間するに従って漸次厚みが大きくなるように形成するようにした。
【００１０】
以上のように構成したトンネルの合流，分岐構造によれば、トンネルの内部から行える断面の厚肉化により、トンネル構造の安定化が図れるので、合流ないし分岐部の中柱を除去することができる。
【００１１】
また、本発明は、請求項１記載のシールドトンネルの合流，分岐構造に、前記一対のシールドトンネルと前記連結部との間に周回するように配置され、緊張力を導入して定着されるＰＣ鋼線を配置すること、前記一対のシールドトンネル間を水平方向に連結するタイロッドを平行に設けること、前記連結部から、外方に向けて突出する複数のグランドアンカーを平行に設置すること、のいずれかを組合わせることができる。
【発明の効果】
【００１２】
本発明にかかるトンネルの合流，分岐構造によれば、トンネルの内部から行える断面の厚肉化により、トンネル構造の安定化が図れるので、合流ないし分岐部の中柱を除去することができる。
【発明を実施するための最良の形態】
【００１３】
以下、本発明の好適な実施の形態について、添付図面に基づいて詳細に説明する。図１は、本発明にかかるトンネルの合流，分岐構造の実施例１を示している。この図に示したトンネルの合流，分岐構造は、地中にシールド工法により、一対のほぼ円形断面の第１シールドトンネル１０と第２シールドトンネル１２とを構築し、所定の個所でこれらを合流させるとともに、所定の合流長さを経た後に、再び分岐させる。
【００１４】
第１および第２シールドトンネル１０，１２は、セグメント１４，１６をそれぞれ環状に組立てて、トンネルとして構築されるものであって、合流部を形成する際には、トンネル１０，１２は、所定の間隔を隔てて、平行に配置される。
【００１５】
平行に配置されたシールドトンネル１０，１２間には、対向する部分のセグメント１４，１６の一部を除去して、側面側にそれぞれ開口部１８，２０を形成し、開口部１８，２０の外側地山を掘削した後に、トンネル１０，１２間を連通する連結部２２が形成される。
【００１６】
本実施例の場合、連結部２２は、構築しようとするトンネルの合流部ないしは分岐部の長さに対応して、トンネル軸方向に延設され、概略平板状の上版２４と、底版２６とを備えており、これらの上，底版２４，２６は、上下方向に所定の間隔を隔てて、両端がセグメント１４，１６の開口部１８，２０の端縁に係止されている。
【００１７】
この場合、上版２４は、所定の傾斜面同士の係止構造により、開口部１８，２０の端縁に係止されている。なお、連結部２２の係止構造は、このような傾斜面同士の係止に限る必要はなく、例えば、通常の突き当て構造であっても良い。
【００１８】
そして、本実施例の場合、トンネル１０，１２の合流ないしは分岐部に設置するセグメント１４ａ，１６ａの厚みを、他の部分で用いるものと異ならせている。なお、図１は、トンネル１０，１２の合流ないしは分岐部のみを示しており、その他の部分では、同じ厚みのセグメント１４，１６が用いられる。
【００１９】
すなわち、本実施例の場合、セグメント１４ａ，１６ａの厚みは、連結部２２から離間するに従って、厚みが漸次増加するようになっていて、トンネル１０，１２の中心を通る水平断面の両端において厚みが最も大きくなるようにしている。
【００２０】
このように構成したトンネルの合流，分岐構造によれば、分岐ないしは合流部で、セグメント１４ａ，１６ａの厚みを増加させることで、この部分の断面剛性が大きくなっていて、合流ないし分岐部の構造が安定する。
【００２１】
図２は、本発明にかかるトンネルの合流、分岐構造の実施例２を示しており、上記実施例と同一もしくは相当する部分に同一符号を付してその説明を省略するとともに、以下にその特徴点についてのみ説明する。この実施例の場合には、一対のシールドトンネル１０，１２と連結部２２との間に、これらを連続した状態で周回するようにＰＣ鋼線２８が設置されている。
【００２２】
このようなＰＣ鋼線２８は、トンネル１０，１２の軸方向に沿って、所定の間隔を隔てて複数設けられ、各ＰＣ鋼線２８の端部は、トンネル１０，１２のセグメント１４，１６ないしは連結部２２の上，底版２４，２６に、張力を導入した状態で、適宜定着される。
【００２３】
この場合、ＰＣ鋼線２８の両端定着位置は、任意に設定することができ、複数のＰＣ鋼線２８の定着位置が、トンネル軸方向で同一位置にならないように、ズラせることもできる。
【００２４】
このように構成したトンネルの合流，分岐構造によれば、一対のシールドトンネル１０，１２と連結部２２との間に周回するように配置され、緊張力を導入して定着されるＰＣ鋼線２８を配置するので、セグメント１４ａ，１６ａの厚みを増加させることに加えて、ＰＣ鋼材に導入されているプレストレスによって、ＲＣ断面に生じる引張力が低減され、合流ないし分岐部の構造が安定する。
【００２５】
このため、合流ないしは分岐部に中柱を設ける必要がなくなり、ＰＣ鋼線２８の設置作業は、トンネル１０，１２の内部から行えるので、地中ビームを設ける場合のように、合流ないしは分岐部の設置個所に制約を受けることもなくなる。
【００２６】
図３から図７は、上記トンネルの合流，分岐構造の構築方法の一例を示している。なお、これらの図に示した構築方法自体は、従来の合流，分岐構造の構築方法と同じなので、セグメント１４，１６として、同じ厚みのものを用いる場合を例示している。合流，分岐構造を構築する際には、まず、図３に示すように、合流ないしは分岐部を構築する個所において、一対の第１および第２シールドトンネル１０，１２が所定の間隔を隔てて、平行に配置される。
【００２７】
次に、図４に示すように、トンネル１０，１２内から、外方地山に対して薬液注入を行い、トンネル１０，１２の対向する部分を、概略半周ずつ取り囲むようにして、地盤改良区域３０を形成し、各トンネル１０，１２内には、変形防止用の仮設支保工３２を設置する。
【００２８】
次いで、図５に示すように、トンネル１０，１２のセグメント１４，１６の一部を除去して、開口部１８，２０を設け、開口部１８，２０の外側に位置する地盤改良区域３０内の土砂を掘削除去して、連結部２２の上版２４と底版２６とを形成して、トンネル１０，１２間を側方で連通させる。
【００２９】
次に、図２に示した実施例２の場合には、図６に示すように、ＰＣ鋼線２８をシールドトンネル１０，１２と連結部２２との間に周回するように配置する。ＰＣ鋼線２８の配置は、予め、セグメント１４，１６や上版２４および底版２６内に、これが挿通可能なシース管を埋設しておく。
【００３０】
ＰＣ鋼線２８の配置が終了すると、ＰＣ鋼線２８に緊張力を導入して、端部をセグメント１４，１６や上版２４および底版２６に定着する。ＰＣ鋼線２８の定着が終了すると、図７に示すように、仮設支保工３２を撤去すると、図２に示した合流，分岐構造が完成する。なお、図１に示した実施例１の構造では、ＰＣ鋼線２８の設置工程を省略すればよい。
【００３１】
図８は、実施例１に示したトンネルの合流，分岐構造に組み合わせることができる合流、分岐構造例を示しており、上記実施例１と同一若しくは相当する部分には、同一符号を付してその説明を省略するとともに、以下にその特徴点についてのみ説明する。
【００３２】
この図に示したトンネルの合流，分岐構造では、実施例１と同様に、所定の間隔を隔てて平行に形成される一対のシールドトンネル１０，１２間に、両者間を連通する連結部２２を設ける。
【００３３】
本例の場合、一対のシールドトンネル１０，１２間を水平方向に連結するタイロッド３４が相互に平行になるように、上下方向に所定の間隔を隔てて設けられている。
【００３４】
一対のタイロッド３４は、同一鉛直面上に配置され、各タイロッド３４は、トンネル１０，１２の上下端に近い位置にあって、一端側が一方のトンネル１０のセグメント１４に定着固定され、他端側が他方のトンネル１２のセグメント１６に定着固定されている。
【００３５】
このようなタイロッド３４は、トンネル軸方向に沿って所定の間隔を設けて、複数設置されている。このように構成したトンネルの合流，分岐構造例を実施例１と組み合わせると、セグメント１４ａ，１６ａの厚みを増加させることに加えて、タイロッド３４を設置することにより、分岐ないしは合流部の断面に生じる引張力を低減し、合流ないし分岐部の構造がより一層安定する。
【００３６】
このため、合流ないしは分岐部に中柱を設ける必要がなくなり、タイロッド３４の設置作業は、トンネル１０，１２の内部から行えるので、地中ビームを設ける場合のように、合流ないしは分岐部の設置個所に制約を受けることもなくなる。
【００３７】
図９は、実施例１に示したトンネルの合流，分岐構造荷組み合わせることができる合流、分岐構造の他の例を示しており、上記実施例１と同一若しくは相当する部分には、同一符号を付してその説明を省略するとともに、以下にその特徴点についてのみ説明する。
【００３８】
この図に示したトンネルの合流，分岐構造では、実施例１と同様に、所定の間隔を隔てて平行に形成される一対のシールドトンネル１０，１２間に、両者間を連通する連結部２２を設ける。
【００３９】
本例の場合には、上記第４実施例で示した連結部２２の上，底版２４，２６と、セグメント１４，１６の各開口端との傾斜面同士の係止構造に加えて、グランドアンカー３６ａとを併用している。
【００４０】
グラントアンカー３６ａは、連結部２２の内部から上版２４と底版２６とを貫通するようにして、このように構成したトンネルの合流，分岐構造例を実施例１と組み合わせると、セグメント１４ａ，１６ａの厚みを増加させることに加えて、グランドアンカー３６ａを設置することにより、分岐ないしは合流部の断面に生じる引張力を低減し、合流ないし分岐部の構造がより一層安定する。
【産業上の利用可能性】
【００４１】
本発明にかかるトンネルの合流，分岐構造は、中柱を設ける必要がないので、道路トンネルの合流部や分岐部を構築する際や、地下鉄の渡り線部分に採用するとも有効に活用することができる。
【図面の簡単な説明】
【００４２】
【図１】本発明にかかるトンネルの合流，分岐構造の実施例１を示す断面説明図である。
【図２】本発明にかかるトンネルの合流，分岐構造の実施例２を示す断面説明図である。
【図３】図２の合流，分岐構造を構築する際の初期工程の断面説明図である。
【図４】図３に引き続いて行われる工程の断面説明図である。
【図５】図４に引き続いて行われる工程の断面説明図である。
【図６】図５に引き続いて行われる工程の断面説明図である。
【図７】図６に引き続いて行われる工程の断面説明図である。
【図８】図１に示した実施例１に組合すことができる合流，分岐構造例の要部断面説明図である。
【図９】図１に示した実施例１に組合すことができる合流，分岐構造例の要部断面説明図である。
【符号の説明】
【００４３】
１０ 第１シールドトンネル
１２ 第２シールドトンネル
１４，１４ａ セグメント
１６，１６ａ セグメント
１８，２０ 開口部
２２ 連結部
２４ 上版
２６ 底版
２８ ＰＣ鋼線
３０ 地盤改良区域 
【図１】
0004127161.tif 000002
【図２】
0004127161.tif 000003
【図３】
0004127161.tif 000004
【図４】
0004127161.tif 000005
【図５】
0004127161.tif 000006
【図６】
0004127161.tif 000007
【図７】
0004127161.tif 000008
【図８】
0004127161.tif 000009
【図９】
0004127161.tif 000010